(57)【要約】【課題】  商品の前倒れを防止するための操作を必要とせずに商品を体裁良く展示することができ、また、手帳等の小型の商品を階段状に展示するのに適した包装展示兼用箱を提供する。【解決手段】  商品を階段状に載置する仕切り体と、前記仕切り体を収容する外箱とを備えた包装展示兼用箱であって、前記仕切り体１２は底面部の高さ位置の異なる複数の商品載置部を備えており、底面部を後上がりに傾斜させる。手帳等の商品の残数がある程度減少したとき、商品の下部が自然に前方に移動して商品の前倒れが防止され、商品を体裁良く展示することができる。また、仕切り体１２は底面部の高さ位置の異なる複数の商品載置部を有しているため、手帳等の小型の商品を階段状に展示するのに適している。【選択図】図１０
0003131506.tif 000002
【実用新案登録請求の範囲】
【請求項１】
商品を階段状に載置する仕切り体と、前記仕切り体を収容する外箱とを備えた包装展示兼用箱であって、
前記仕切り体は底面部の高さ位置の異なる複数の商品載置部を備えているとともに、前記底面部は後上がりに傾斜していることを特徴とする包装展示兼用箱。
【請求項２】
請求項１に記載の包装展示兼用箱であって、
前記底面部は後上がりに湾曲していることを特徴とする包装展示兼用箱。
【請求項３】
請求項１または２のいずれか１項に記載の包装展示兼用箱であって、
前記商品載置部は、
底面部と後面部とを構成する載置板と、
前記載置板の下縁部に連設されて、前面部を構成する前面板と、
を備えており、
前方に形成された商品載置部の載置板の上縁部に、後方に形成された商品載置部の前面板の上縁部が連設されることにより、仕切り体に複数の商品載置部が連設されていることを特徴とする包装展示兼用箱。
【請求項４】
請求項１から３のいずれか１項に記載の包装展示兼用箱であって、
前記商品載置部の後面部に商品を前方に押圧する押圧部が設けられていることを特徴とする包装展示兼用箱。
【請求項５】
請求項４に記載の包装展示兼用箱であって、
前記押圧部は、
前記商品載置部の前面板に形成された押圧フラップと、
前記商品載置部の載置板に形成された押圧フラップ用穴と、を有しており、
後方に形成された商品載置部の前記押圧フラップが、前方に形成された商品載置部の前記押圧フラップ用穴より突出している構成であることを特徴とする包装展示兼用箱。
【請求項６】
請求項３から５のいずれか１項に記載の包装展示兼用箱であって、
前記載置板と前記前面板のいずれか一方の側縁部に側板が連設され、前記側板の側縁部に係止フラップが連設され、前記載置板と前記前面板のいずれか他方の側縁部に前記係止フラップが係止されていることを特徴とする包装展示兼用箱。
【請求項７】
請求項６に記載の包装展示兼用箱であって、
前記係止フラップの上端部で前記載置板と前記前面板の連設部分を支持させていることを特徴とする包装展示兼用箱。
【請求項８】
請求項３から７のいずれか１項に記載の包装展示兼用箱であって、
前記仕切り体は区画部材を備えており、前記区画部材は、前記商品載置部に挿入されて前記商品載置部を幅方向に仕切る複数の隔壁部と、前記複数の隔壁部間に形成されて前記商品載置部の前記載置板と前記前面板とを挟持するスリット部と、を備えていることを特徴とする包装展示兼用箱。
【考案の詳細な説明】
【技術分野】
【０００１】
本考案は、手帳等の商品の包装及び展示に兼用される包装展示兼用箱に関する。
【背景技術】
【０００２】
従来、手帳等の商品の包装用箱として使用された後、そのまま商品の展示に使用される、包装と展示とに兼用される包装展示兼用箱が開発されている。このような包装展示兼用箱においては、商品の残数が少なくなって、残りの商品が前方に倒れた状態で展示された状態となると、商品展示の体裁が損なわれる。このため、商品の残数が少なくなった場合に商品の前倒れを防止するようにした包装展示兼用箱が開発されている。
【０００３】
例えば、底壁、前壁、一対の側壁、後壁及び蓋フラップを備えており、前壁の下縁から底壁及び後壁の内面にそれぞれ重なる底重板及び吊上板を順次延出し、後壁の切断縁に差込片を、吊上板に差込穴をそれぞれ設け、吊上板を引き上げて差込穴に差込片を差し込むと、底重板が後上がりに傾斜した状態で保持される構成のものが公知である（特許文献１参照。）。上記従来の包装展示兼用箱は、商品の残数がある程度減少したとき、吊上板を引き上げて差込穴に差込片を差し込むと、底重板が後上がりに傾斜した状態で保持され、商品の下部が前方に迫り出して、商品の前倒れが防止されるというものである。
【特許文献１】特開２００２−９６８２１号公報
【考案の開示】
【考案が解決しようとする課題】
【０００４】
しかしながら、上記従来の包装展示兼用箱では、吊上板を引き上げて底重板を後上がりに傾斜させることにより、商品の前倒れを防止するのであるが、包装展示兼用箱を開封して展示した後、商品の残数がある程度減少したときに、上記操作を別途行わなければならないという不便があった。
【０００５】
また、上記従来の包装展示兼用箱では、底部全体を一様に傾斜させるものであるため、例えば手帳等の小型の商品を階段状に展示するような用途には用いることができないものであった。
【０００６】
本考案は前記課題に鑑みてなされたものであって、商品の前倒れを防止するための操作を必要とせずに商品を体裁良く展示することができ、また、手帳等の小型の商品を階段状に展示するのに適した包装展示兼用箱を提供することを課題とする。
【課題を解決するための手段】
【０００７】
本考案の解決しようとする課題は以上の如くであり、次にこの課題を解決するための手段を説明する。
【０００８】
即ち、請求項１に記載の考案では、商品を階段状に載置する仕切り体と、前記仕切り体を収容する外箱とを備えた包装展示兼用箱であって、
前記仕切り体は底面部の高さ位置の異なる複数の商品載置部を備えているとともに、前記底面部は後上がりに傾斜していることを特徴とする包装展示兼用箱とした。
【０００９】
請求項２に記載の考案では、請求項１において、
前記底面部は後上がりに湾曲していることを特徴とする包装展示兼用箱とした。
【００１０】
請求項３に記載の考案では、請求項１または２のいずれか１項に記載の考案において、
前記商品載置部は、
底面部と後面部とを構成する載置板と、
前記載置板の下縁部に連設されて、前面部を構成する前面板と、
を備えており、
前方に形成された商品載置部の載置板の上縁部に、後方に形成された商品載置部の前面板の上縁部が連設されることにより、仕切り体に複数の商品載置部が連設されていることを特徴とする包装展示兼用箱とした。
【００１１】
請求項４に記載の考案では、請求項１から３のいずれか１項に記載の考案において、
前記商品載置部の後面部に商品を前方に押圧する押圧部が設けられていることを特徴とする包装展示兼用箱とした。
【００１２】
請求項５に記載の考案では、請求項４に記載の考案において、
前記押圧部は、
前記商品載置部の前面板に形成された押圧フラップと、
前記商品載置部の載置板に形成された押圧フラップ用穴と、を有しており、
後方に形成された商品載置部の前記押圧フラップが、前方に形成された商品載置部の前記押圧フラップ用穴より突出している構成であることを特徴とする包装展示兼用箱とした。
【００１３】
請求項６に記載の考案では、請求項３から５のいずれか１項に記載の考案において、
前記載置板と前記前面板のいずれか一方の側縁部に側板が連設され、前記側板の側縁部に係止フラップが連設され、前記載置板と前記前面板のいずれか他方の側縁部に前記係止フラップが係止されていることを特徴とする包装展示兼用箱とした。
【００１４】
請求項７に記載の考案では、請求項６に記載の考案において、
前記係止フラップの上端部で前記載置板と前記前面板の連設部分を支持させていることを特徴とする包装展示兼用箱とした。
【００１５】
請求項８に記載の考案では、請求項３から７のいずれか１項に記載の考案において、
前記仕切り体は区画部材を備えており、前記区画部材は、前記商品載置部に挿入されて前記商品載置部を幅方向に仕切る複数の隔壁部と、前記複数の隔壁部間に形成されて前記商品載置部の前記載置板と前記前面板とを挟持するスリット部と、を備えていることを特徴とする包装展示兼用箱とした。
【考案の効果】
【００１６】
本考案の効果として、以下に示すような効果を奏する。
【００１７】
請求項１に記載の考案によれば、包装展示兼用箱に収容される仕切り体は、底面部が後上がりに傾斜している商品載置部を備えているため、手帳等の商品の残数がある程度減少したとき、商品の前倒れを防止するための操作を行わなくとも、商品の下部が自然に前方に移動して商品の前倒れが防止され、商品を体裁良く展示することができる。また、仕切り体は底面部の高さ位置の異なる複数の商品載置部を備えているため、手帳等の小型の商品を階段状に展示するのに適した包装展示兼用箱とすることができる。
【００１８】
請求項２に記載の考案によれば、仕切り体の商品載置部の底面部は後上がりに湾曲しているため、商品載置部の後方ほど後上がりの傾斜が増大する。このため、確実に商品の下部を前方に移動させて商品の前倒れを防止し、商品を体裁良く展示することができる。
【００１９】
請求項３に記載の考案によれば、前方に形成された商品載置部の載置板の上縁部に、後方に形成された商品載置部の前面板の上縁部が連設されることにより、仕切り体に複数の商品載置部が連設される構成であるため、仕切り体を少ない紙材でコンパクトに形成することができ、手帳等の商品の収容量を多く確保することができる。また、少ない紙材で仕切り体を形成することができるため、組み立てが容易であるとともに、材料コストを安価とすることができる。
【００２０】
請求項４に記載の考案によれば、商品載置部の後面部に商品を前方に押圧する押圧部が設けられているため、商品の下部を確実に前方に移動させて商品の前倒れを防止でき、また、商品を後方から支えることができるため、商品を体裁良く展示することができる。
【００２１】
請求項５に記載の考案によれば、押圧部は、後方に形成された商品載置部の押圧フラップが、前方に形成された商品載置部の押圧フラップ用穴より突出している構成であるため、簡易な構成で押圧部を設けることができるとともに、組み立ても容易である。また、押圧フラップが押圧フラップ用穴に差し込まれて突出するため、前方に形成された商品載置部と後方に形成された商品載置部とが押圧フラップと押圧フラップ用穴とで連結され、仕切り体の形態が安定して保持される。
【００２２】
請求項６に記載の考案によれば、載置板と前面板のいずれか一方の側縁部に側板が連設され、側板の側縁部に係止フラップが連設され、載置板と前面板のいずれか他方の側縁部に係止フラップが係止されるため、前後の商品載置部が連結され、仕切り体の前後方向の形態が安定して保持される。このため、仕切り体を外箱に収納しやすく、また、商品を体裁良く展示することができる。
【００２３】
請求項７に記載の考案によれば、係止フラップの上端部で載置板と前面板の連設部分を支持させているため、載置板に加わる商品の荷重を係止フラップ及び側板で支持することができ、商品載置部の変形を抑えて、商品を体裁良く展示することができる。
【００２４】
請求項８に記載の考案によれば、仕切り体は区画部材を備えており、区画部材には複数の隔壁部が形成されるとともに、商品載置部の載置板と前記前面板とを挟持するスリット部を備えているため、商品載置部を複数の区画に区切ることができるとともに、前方に形成された商品載置部と後方に形成された商品載置部とが区画部材で連結され、仕切り体の剛性が増大し、仕切り体の形態が安定して保持される。
【考案を実施するための最良の形態】
【００２５】
次に、考案の実施の形態について図を用いて説明する。
【実施例１】
【００２６】
本考案の実施例１に係る包装展示兼用箱１１について、図１から図１２を用いて説明する。
【００２７】
実施例１に係る包装展示兼用箱１１は、手帳等の商品Ｇの包装用箱として使用された後、そのまま店頭において商品の展示に使用される、包装と展示とに兼用される包装展示兼用箱である。包装展示兼用箱１１は、仕切り体１２、外箱１３、区画部材１４から構成されており、仕切り体１２、外箱１３、区画部材１４はそれぞれ、図１、図２、図３に示す仕切り体展開形成体１５、外箱展開形成体１６、区画部材展開形成体１７を組み立てて形成されている。仕切り体展開形成体１５、外箱展開形成体１６、区画部材展開形成体１７はそれぞれ板紙、段ボールなどの厚紙で形成されている。以下では、説明の容易のため、包装展示兼用箱１１の上下方向は、包装展示兼用箱１１を組み立てて、底板を下にして載置した状態で、底板側を下方とする。従って図１０において、図示上方が包装展示兼用箱１１の上方となる。また、包装展示兼用箱１１の商品載置部の低いほうを前側とし、商品載置部の高いほうを後側とする。また、他方の対向する側を左右側とする。従って図１０において、図示右側が前方となる。尚、本実施例の包装展示兼用箱１１の平面形状は長方形であるが、正方形等の他の形状に変更してもよい。
【００２８】
まず図１を用いて、仕切り体展開形成体１５について説明する。仕切り体１２は、仕切り体展開形成体１５を組み立てて形成されるものであり、手帳等の商品Ｇを階段状に載置する部分である。仕切り体１２には前から第１商品載置部２１、第２商品載置部２２、第３商品載置部２３が形成されるが、手帳等の商品Ｇを階段状に載置するため、後方に行くほど商品載置部は高い位置に形成される。
【００２９】
仕切り体展開形成体１５の一端部には、第１商品載置部２１を構成する第１載置板２４が形成されており、第１載置板２４の上縁部となる縁部には第１折目線５１を介して第２前面板２５が連設されている。第２前面板２５の下縁部となる縁部には第２折目線５２を介して第２載置板２６が連設されている。第２前面板２５と第２載置板２６は第２商品載置部２２を構成する部分である。そして、第２載置板２６の上縁部となる縁部には第３折目線５３を介して第３前面板２７が連設されている。第３前面板２７の下縁部となる縁部には第４折目線５４を介して第３載置板２８が連設されている。第３前面板２７と第３載置板２８は第３商品載置部２３を構成する部分である。第３載置板２８の上縁部には仕切り体１２の背面部となる背面板２９が第５折目線５５を介して連設されている。
【００３０】
第１載置板２４から背面板２９までは、略一定の左右方向の幅を有しており、上下方向の長さは、第１載置板２４より第２前面板２５が短く、第２前面板２５より第２載置板２６が長く、第２載置板２６より第３前面板２７が短く、第３前面板２７より第３載置板２８が長く形成されている。このため、第１載置板２４から背面板２９までを各折目線で蛇腹状に折り曲げていくと、図６に示すように、前から後に向けて第１商品載置部２１、第２商品載置部２２、第３商品載置部２３の順に連設されるとともに、第１商品載置部２１、第２商品載置部２２、第３商品載置部２３の順に底面部の高さ位置が高くなって商品を階段状に載置できるようになっている。
【００３１】
仕切り体１２の押圧部を構成する第１押圧フラップ３１、第２押圧フラップ３２、第３押圧フラップ３３と、第１押圧フラップ用穴３４、第２押圧フラップ用穴３５、第３押圧フラップ用穴３６について説明する。図１に示すように、第１押圧フラップ３１は第２前面板２５の左右方向に間隔を開けて２箇所に形成されている。第１押圧フラップ３１は舌片状に形成された切目線で形成され、第２前面板２５と第２載置板２６とが連設される第２折目線５２上で第２載置板２６に連設されており、第１押圧フラップ３１は第２前面板２５と第２載置板２６に対して切り起こすことができるようになっている。第１押圧フラップ３１が差し込まれる第１押圧フラップ用穴３４は、第１載置板２４の左右方向に第１押圧フラップ３１と同じ間隔を開けて２箇所に形成されている。第１押圧フラップ用穴３４が形成される高さ位置は、第１折目線５１上で第１載置板２４と第２前面板２５を折り返した際に、第１押圧フラップ３１が差し込まれるように、第１折目線５１に対して第１押圧フラップ３１と対称となる位置である（図６参照。）。
【００３２】
図１に示すように、第２押圧フラップ３２は第３前面板２７の左右方向に間隔を開けて２箇所に形成されている。第２押圧フラップ３２は舌片状に形成された切目線で形成され、第１押圧フラップ３１と同様の形状である。第２押圧フラップ３２は第３前面板２７と第３載置板２８とが連設される第４折目線５４上で第３載置板２８に連設されており、第２押圧フラップ３２は第３前面板２７と第３載置板２８に対して切り起こすことができるようになっている。第２押圧フラップ３２が差し込まれる第２押圧フラップ用穴３５は、第２載置板２６の左右方向に第２押圧フラップ３２と同じ間隔を開けて２箇所に形成されている。第２押圧フラップ用穴３５が形成される高さ位置は、第３折目線５３上で第２載置板２６と第３前面板２７を折り返した際に、第２押圧フラップ３２が差し込まれるように、第３折目線５３に対して第２押圧フラップ３２と対称となる位置である（図６参照。）。
【００３３】
第３押圧フラップ３３は背面板２９の左右方向に間隔を開けて２箇所に形成されている。第３押圧フラップ３３は舌片状に形成された切目線で形成され、第１押圧フラップ３１、第２押圧フラップ３２よりやや大きい形状である。第３押圧フラップ３３は背面板２９の上下方向の略中央に形成されている。第３押圧フラップ３３は背面板２９に対して切り起こすことができるようになっている。第３押圧フラップ３３が差し込まれる第３押圧フラップ用穴３６は、第３載置板２８の左右方向に第３押圧フラップ３３と同じ間隔を開けて２箇所に形成されている。第３押圧フラップ用穴３６が形成される高さ位置は、第５折目線５５上で第３載置板２８と背面板２９を折り返した際に、第３押圧フラップ３３が差し込まれるように、第５折目線５５に対して第３押圧フラップ３３と対称となる位置である（図６参照。）。
【００３４】
仕切り体１２の側部を構成する第１側板４１、第２側板４２、第３側板４３について説明する。図１に示すように、第１側板４１は第１載置板２４の両側縁部に設けられており、第１側板４１の上方の一部が第１側板折目線６１を介して第１載置板２４に連設されている。第１側板４１の下方部分は第１側板切目線６２によって第１載置板２４に対して分離されている。
【００３５】
第２側板４２は第２載置板２６の両側縁部に設けられており、第２側板４２の上方の一部が第２側板折目線６３を介して第２載置板２６に連設されている。第２側板４２の下方部分は第２側板切目線６４によって第２載置板２６に対して分離されている。また、第２側板４２の側縁部には第２係止フラップ４４が折目線を介して連設されている。第２係止フラップ４４は第１側板４１の高さと略同一とされており、第２係止フラップ４４の上端部で第１載置板２４と第２前面板２５の連結部である第１折目線５１を支持するようにしている（図４、図６参照。）。
【００３６】
第３側板４３は第３載置板２８の両側縁部に設けられており、第３側板４３の上方の一部が第３側板折目線６５を介して第３載置板２８に連設されている。第３側板４３の下方部分は第３側板切目線６６によって第３載置板２８に対して分離されている。また、第３側板４３の側縁部には第３係止フラップ４５が折目線を介して連設されている。第３係止フラップ４５は第２側板４２の高さと略同一とされており、第３係止フラップ４５の上端部で第２載置板２６と第３前面板２７の連結部である第３折目線５３を支持するようにしている（図４、図６参照。）。
【００３７】
第１差込スリット４６、第２差込スリット４７、第３差込スリット４８について説明する。図１に示すように、第１乃至第３差込スリット４６、４７、４８は区画部材１４が差し込まれる部分である。第１差込スリット４６は、第１折目線５１上に形成されており、形成される位置は略左右方向の中央部である。第２差込スリット４７は、第２折目線５２上に形成されており、形成される位置は略左右方向の中央部である。第３差込スリット４８は、第３載置板２８上に形成されており、形成される位置は略左右方向の中央部である。
【００３８】
次に図２を用いて、外箱展開形成体１６について説明する。外箱１３は、外箱展開形成体１６を組み立てて形成されるものであり、仕切り体１２を収容する部分である。外箱１３は手帳が載置された仕切り体１２を収容して手帳を包装、展示するものであるため、仕切り体１２の形状に合わせて前側の側壁を低くして前方が開放され、後方に行くほど高く形成された形状である。
【００３９】
図２に示すように、前側壁７１は外箱１３の前側の側壁を構成する部分であり、前側壁７１の左右の縁部には、外箱１３の左右の側壁を構成する１対の左右側壁７２が折目線を介して連設されている。前側壁７１の上部となる縁部には、外箱１３の内側に折り返す、折返フラップ７３が折目線を介して連設されている。一方の左右側壁７２の縁部には、外箱１３の後側の側壁を構成する後側壁７４が折目線を介して連設されており、後側壁７４の他方の縁部には、他方の左右側壁７２と連結するための連結フラップ７６が折目線を介して連設されている。後側壁７４、１対の左右側壁７２、前側壁７１の下部となる縁部には、外箱１３の底部を構成する第１乃至第４底板７７、７８、７９、８０がそれぞれ折目線を介して連設されている。
【００４０】
後側壁７４の上部となる縁部には、包装及び展示される手帳等の商品Ｇの商品名、価格、販売促進の説明文等を記載したタイトル部８１が設けられる。タイトル部８１は、後側壁７４の上部となる縁部に連設される第１タイトル板８２、第１タイトル板８２の上部となる縁部に連設される第２タイトル板８３、第２タイトル板８３の上部となる縁部に連設される第３タイトル板８４を有している。第３タイトル板８４の自由端側の縁部には差込用舌片８５が形成されており、後側壁７４には、差込用舌片８５を差し込むための差込用切目線７５が形成されている。
【００４１】
次に図３を用いて、区画部材展開形成体１７について説明する。区画部材１４は、区画部材展開形成体１７を組み立てて形成されるものであり、仕切り体１２の内部の第１乃至第３商品載置部２１、２２、２３をそれぞれ左右方向に２区画に区切るものである。区画部材１４は第１隔壁部９１、第２隔壁部９２、第３隔壁部９３が形成されており、それぞれ、第１商品載置部２１、第２商品載置部２２、第３商品載置部２３の高さ位置と断面形状に合わせた形状に形成されている。
【００４２】
区画部材展開形成体１７は、図３に示すように、中央部の区画部材折目線９７に対して対称の形状であり、それぞれ、第１商品載置部２１を区切るための第１隔壁部９１、第１隔壁部９１に隣接して第２商品載置部２２を区切るための第２隔壁部９２、第２隔壁部９２に隣接して第３商品載置部２３を区切るための第３隔壁部９３が形成されている。そして、第１隔壁部９１と第２隔壁部９２との間には第１挟持スリット９５が形成されており、第２隔壁部９２と第３隔壁部９３との間には第２挟持スリット９６が形成されている。また、第３隔壁部９３には差込部９４が形成されている。
【００４３】
次に、仕切り体１２の組み立てについて説明する。図４に示すように、まず、第１商品載置部２１を形成する。第１商品載置部２１は、第１載置板２４と第１側板４１によって構成される。第１載置板２４は下部を緩やかに湾曲させ、後上がりに湾曲させて第１商品載置部２１の底面部を形成する（図６参照。）。第１載置板２４の上部は真っ直ぐに立ち上がる第１商品載置部２１の後面部を形成する。続いて、図４に示すように、第１折目線５１を山折りして、第１載置板２４に対して第２前面板２５を折り返すとともに、第１押圧フラップ３１を第２前面板２５に対して切り起こして、第１押圧フラップ用穴３４に差し込んで前方に突出させる（図６参照。）。これにより、第１商品載置部２１の後面部に押圧部としての第１押圧フラップ３１が設けられる。図５に示すように、第１側板４１は第１側板折目線６１を谷折して前方に折り曲げて、仕切り体１２の側部を形成する。
【００４４】
第２商品載置部２２は、第２載置板２６と第２前面板２５、及び第２側板４２によって構成される。図４に示すように、第２商品載置部２２は、第２折目線５２を谷折りして、第２前面板２５に対して第２載置板２６を折り曲げて形成する。第２載置板２６は下部を緩やかに湾曲させ、後上がりに湾曲させて第２商品載置部２２の底面部を形成する（図６参照。）。第２載置板２６の上部は真っ直ぐに立ち上がる第２商品載置部２２の後面部を形成する。続いて、図４に示すように、第３折目線５３を山折りして、第２載置板２６に対して第３前面板２７を折り返すとともに、第２押圧フラップ３２を第３前面板２７に対して切り起こして、第２押圧フラップ用穴３５に差し込んで前方に突出させる（図６参照。）。これにより、第２商品載置部２２の後面部に押圧部としての第２押圧フラップ３２が設けられる。また、図４に示すように、第２側板４２は第２側板折目線６３を谷折して前方に折り曲げ、第２係止フラップ４４も折り曲げて、第２係止フラップ４４を第２前面板２５の側縁部に係止させ（図５参照。）、第１商品載置部２１と第２商品載置部２２とを連結する。図５に示すように、第２側板４２は仕切り体１２の側部を形成する。
【００４５】
第３商品載置部２３は、第３載置板２８と第３前面板２７、及び第３側板４３によって構成される。図４に示すように、第３商品載置部２３は、第４折目線５４を谷折りして、第３前面板２７に対して第３載置板２８を折り曲げて形成する。第３載置板２８は下部を緩やかに湾曲させ、後上がりに湾曲させて第３商品載置部２３の底面部を形成する（図６参照。）。第３載置板２８の上部は真っ直ぐに立ち上がる第３商品載置部２３の後面部を形成する。続いて、図４に示すように、第５折目線５５を山折りして、第３載置板２８に対して背面板２９を折り返すとともに、第３押圧フラップ３３を背面板２９に対して切り起こして、第３押圧フラップ用穴３６に差し込んで前方に突出させる（図６参照。）。これにより、第３商品載置部２３の後面部に押圧部としての第３押圧フラップ３３が設けられる。また、図４に示すように、第３側板４３は第３側板折目線６５を谷折して前方に折り曲げ、第３係止フラップ４５も折り曲げて、第３係止フラップ４５を第３前面板２７の側縁部に係止させ（図５参照。）、第２商品載置部２２と第３商品載置部２３とを連結する。図５に示すように、第３側板４３は仕切り体１２の側部を形成する。
【００４６】
次に、仕切り体１２に区画部材１４を取り付ける。図７、図８に示すように、区画部材１４は、区画部材展開形成体１７を区画部材折目線９７で折り曲げて形成する。区画部材１４の取り付けは、第１隔壁部９１を第１商品載置部２１に、第２隔壁部９２を第２商品載置部２２に、第３隔壁部９３を第３商品載置部２３にそれぞれ挿入する。また、第１挟持スリット９５と仕切り体１２の第１差込スリット４６とを組み合わせるように相互に差し込むようにし、第２挟持スリット９６と仕切り体１２の第２差込スリット４７とを組み合わせるように相互に差し込むようにする。差込部９４は仕切り体１２の第３差込スリット４８に差し込むようにする。
【００４７】
次に、外箱１３の組み立てについて説明すると、図９に示すように、外箱展開形成体１６の前側壁７１、左右側壁７２、後側壁７４を、それぞれ折目線で折り曲げ、連結フラップ７６を左右側壁７２に貼着固定して、外箱１３の各側壁を組み立てる。折返フラップ７３は外箱１３の内側に折り返す。そして、第１乃至第４底板７７、７８、７９、８０を折目線で折り曲げて相互に組み合わせ、底部を組み立てる。タイトル部８１は、第２タイトル板８３と第３タイトル板８４とを第１タイトル板８２に対して折目線で折り返し、第３タイトル板８４に形成された差込用舌片８５を、後側壁７４に形成された差込用切目線７５に差し込んで組み立てる。尚、タイトル部８１は商品を展示する際に組み立ててもよく、商品を展示していない状態では、タイトル部８１全体を後側壁７４に対して前屈させ、商品を覆うようにさせてもよい。
【００４８】
そして、上記のように組み立てた仕切り体１２と区画部材１４を、図１０に示すように、組み立てられた外箱１３の内部に収容し、図１１に示すように、包装展示兼用箱１１の各商品載置部に手帳等の商品Ｇを載置する。
【００４９】
図１２に示すように、商品載置部の底面部が後上がりに傾斜または湾曲しているため、手帳等の商品Ｇの残数がある程度減少したとき、商品の下部が自然に前方に移動して商品の前倒れが防止される。また、各商品載置部の後面部に押圧部としての第１押圧フラップ３１、第２押圧フラップ３２、第３押圧フラップ３３が設けられているため、商品の下部を確実に前方に移動させて商品の前倒れを防止でき、また、商品を後方から支えることができるため、商品を体裁良く展示することができる。また、第１商品載置部２１、第２商品載置部２２、第３商品載置部２３の順に底面部の高さ位置が高くなって商品を階段状に載置できるようになっているため、手帳等の小型の商品を階段状に展示するのに適している。
【００５０】
また、本実施例に係る包装展示兼用箱１１によれば、以下の効果も奏する。
【００５１】
図４に示すように、前方に形成された第１商品載置部２１の第１載置板２４の上縁部に、後方に形成された第２商品載置部２２の第２前面板２５の上縁部が連設されており、更に、第２商品載置部２２の第２載置板２６の上縁部に、第３商品載置部２３の第３前面板２７の上縁部が連設されることによって、仕切り体１２に複数の商品載置部が連設される構成であるため、仕切り体１２を少ない紙材でコンパクトに形成することができ、手帳等の商品Ｇの収容量を多く確保することができる。また、少ない紙材で仕切り体１２を形成することができるため、組み立てが容易であるとともに、材料コストを安価とすることができる。
【００５２】
また、押圧部の構成は、図６に示すように、第１商品載置部２１の押圧部を構成する第１押圧フラップ３１は、後方の第２商品載置部２２の第２前面板２５に形成されており、この第１押圧フラップ３１が、第１商品載置部２１の第１載置板２４に形成された第１押圧フラップ用穴３４より突出している構成であり、第２押圧フラップ３２、第３押圧フラップ３３も同様の構成であるため、簡易な構成で押圧部を設けることができるとともに、組み立ても容易である。また、第１乃至第３押圧フラップ３１、３２、３３がそれぞれ第１乃至第３押圧フラップ用穴３４、３５、３６に差し込まれて突出するため、第１商品載置部２１、第２商品載置部２２、第３商品載置部２３がそれぞれ第１乃至第３押圧フラップ３１、３２、３３と第１乃至第３押圧フラップ用穴３４、３５、３６とで連結され、仕切り体１２の形態が安定して保持される。
【００５３】
図４に示すように、第２載置板２６の側縁部に第２側板４２と第２係止フラップ４４が連設され、第２前面板２５の側縁部に第２係止フラップ４４が係止されており、第３載置板２８の側縁部に第３側板４３と第３係止フラップ４５が連設され、第３前面板２７の側縁部に第３係止フラップ４５が係止されているため、第１商品載置部２１、第２商品載置部２２、第３商品載置部２３が連結され、仕切り体１２の前後方向の形態が安定して保持される。このため、仕切り体を外箱に収納しやすく、また、商品を体裁良く展示することができる。
【００５４】
図６に示すように、第２係止フラップ４４は第１側板４１の高さと略同一とされ、第２係止フラップ４４の上端部で第１載置板２４と第２前面板２５の連結部である第１折目線５１を支持させており、第１載置板２４に加わる商品の荷重を第２係止フラップ４４及び第２側板４２で支持することができる。また、第３係止フラップ４５は第２側板４２の高さと略同一とされ、第３係止フラップ４５の上端部で第２載置板２６と第３前面板２７の連結部である第３折目線５３を支持させており、第２載置板２６に加わる商品の荷重を第３係止フラップ４５及び第３側板４３で支持することができる。このため、第１乃至第３商品載置部２３の変形を抑えて、商品を体裁良く展示することができる。
【００５５】
図８に示すように、仕切り体１２には区画部材１４が取り付けられており、区画部材１４の第１隔壁部９１を第１商品載置部２１に、第２隔壁部９２を第２商品載置部２２に、第３隔壁部９３を第３商品載置部２３にそれぞれ挿入しているため、第１商品載置部２１、第２商品載置部２２、第２商品載置部２２が区画部材１４で連結されることとなり、仕切り体１２の剛性が増大し、仕切り体１２の形態が安定して保持される。また、区画部材１４によって仕切り体１２の第１乃至第３商品載置部２３を複数の区画に区切ることができる。
【００５６】
以上説明した本考案の技術的範囲は、上記の実施例に限定されるものではない。例えば、商品載置部の数量、形状、押圧部の数量、形状などは上記実施例の形状に限定されない。また、外箱も上記実施例の形状に限定されず、例えば、外箱に蓋部を設けて商品の包装時には商品を覆うようにしてもよい。本考案の技術的範囲は、本明細書及び図面に記載した事項から明らかになる本考案が真に意図する技術的思想の範囲全体に、広く及ぶものである。
【図面の簡単な説明】
【００５７】
【図１】実施例１に係る包装展示兼用箱１１の仕切り体展開形成体１５の平面図。
【図２】実施例１に係る包装展示兼用箱１１の外箱展開形成体１６の平面図。
【図３】実施例１に係る包装展示兼用箱１１の区画部材展開形成体１７の平面図。
【図４】仕切り体１２を組み立てている状態の斜視簡略図。
【図５】仕切り体１２の斜視簡略図。
【図６】図５の６―６線における仕切り体１２の断面簡略図。
【図７】仕切り体１２に区画部材１４を取り付ける前の状態を示す斜視簡略図。
【図８】仕切り体１２に区画部材１４を取り付けた状態を示す斜視簡略図。
【図９】外箱１３の斜視簡略図。
【図１０】実施例１に係る包装展示兼用箱１１の斜視簡略図。
【図１１】包装展示兼用箱１１に手帳等の商品Ｇを載置した状態の斜視簡略図。
【図１２】図１１の１２―１２線における包装展示兼用箱１１の断面簡略図。
【符号の説明】
【００５８】
１１    包装展示兼用箱
１２    仕切り体
１３    外箱
１４    区画部材
１５    仕切り体展開形成体
１６    外箱展開形成体
１７    区画部材展開形成体
２１    第１商品載置部
２２    第２商品載置部
２３    第３商品載置部
２４    第１載置板
２５    第２前面板
２６    第２載置板
２７    第３前面板
２８    第３載置板
２９    背面板
３１    第１押圧フラップ
３２    第２押圧フラップ
３３    第３押圧フラップ
３４    第１押圧フラップ用穴
３５    第２押圧フラップ用穴
３６    第３押圧フラップ用穴
４１    第１側板
４２    第２側板
４３    第３側板
４４    第２係止フラップ
４５    第３係止フラップ
４６    第１差込スリット
４７    第２差込スリット
４８    第３差込スリット
５１    第１折目線
５２    第２折目線
５３    第３折目線
５４    第４折目線
５５    第５折目線
６１    第１側板折目線
６２    第１側板切目線
６３    第２側板折目線
６４    第２側板切目線
６５    第３側板折目線
６６    第３側板切目線
７１    前側壁
７２    左右側壁
７３    折返フラップ
７４    後側壁
７５    差込用切目線
７６    連結フラップ
７７    第１底板
７８    第２底板
７９    第３底板
８０    第４底板
８１    タイトル部
８２    第１タイトル板
８３    第２タイトル板
８４    第３タイトル板
８５    差込用舌片
９１    第１隔壁部
９２    第２隔壁部
９３    第３隔壁部
９４    差込部
９５    第１挟持スリット
９６    第２挟持スリット
９７    区画部材折目線
Ｇ      手帳等の商品
【図１】
0003131506.tif 000003
【図２】
0003131506.tif 000004
【図３】
0003131506.tif 000005
【図４】
0003131506.tif 000006
【図５】
0003131506.tif 000007
【図６】
0003131506.tif 000008
【図７】
0003131506.tif 000009
【図８】
0003131506.tif 000010
【図９】
0003131506.tif 000011
【図１０】
0003131506.tif 000012
【図１１】
0003131506.tif 000013
【図１２】
0003131506.tif 000014